(57)【要約】【課題】回路基板の接続端子部に対して信号線の導線を確実に接続強度を確保し且つ接続部の外形寸法を所定内に揃えて細径化した状態に半田付け接続することができる電子内視鏡の先端部の組立方法を提供すること。【解決手段】接続端子部２０を溝状に形成すると共に、信号線１３の導線１４を、その先端部分が接続端子部２０からはみ出す状態に溝状の接続端子部２０に嵌め入れ、導線１４を接続端子部２０に半田付け３０により固着した後で、接続端子部２０からはみ出している導線１４の先端部分を削除する。【選択図】      図１
2006068060.tif 000002
【特許請求の範囲】
【請求項１】
挿入部の先端に内蔵された固体撮像素子の背面側に回路基板が配置され、上記挿入部内に挿通配置された信号ケーブルの先端から引き出された信号線の導線が、上記回路基板に設けられている接続端子部に後方から接続された電子内視鏡の先端部の組立方法において、
上記接続端子部を溝状に形成すると共に、上記信号線の導線を、その先端部分が上記接続端子部からはみ出す状態に上記溝状の接続端子部内に嵌め入れ、上記導線を上記接続端子部に半田付けにより固着した後で、上記接続端子部からはみ出している上記導線の先端部分を削除するようにしたことを特徴とする電子内視鏡の先端部の組立方法。
【請求項２】
上記導線の先端部分がＬ字状に折り曲げられていて、その折り曲げ部より先側の部分であって上記接続端子部内からはみ出している部分が、上記接続端子部から外側に盛り上がっている半田と共に削除される請求項１記載の電子内視鏡の先端部の組立方法。
【請求項３】
上記接続端子部が後端は開放されて前端は閉鎖面により塞がれた溝状に形成されていて、上記導線が上記接続端子部の溝底面と上記閉鎖面とに押し付けられた状態で上記接続端子部に半田付け固着されている請求項２記載の電子内視鏡の先端部の組立方法。
【発明の詳細な説明】
【技術分野】
【０００１】
この発明は電子内視鏡の先端部の組立方法に関する。
【背景技術】
【０００２】
電子内視鏡においては一般に、挿入部の先端に内蔵された固体撮像素子の背面側に回路基板が配置されて、挿入部内に挿通配置された信号ケーブルの先端から引き出された信号線の導線が、回路基板に設けられている接続端子部に後方から接続されてそこに半田付け固着されている（例えば、特許文献１）。
【特許文献１】特開平７−３１８８１５
【発明の開示】
【発明が解決しようとする課題】
【０００３】
上述のような従来の電子内視鏡の先端部の組立の際には、信号線の導線を回路基板の接続端子部に載せた状態で半田付け接続が行われるが、溶けた半田が導線と接続端子部を覆う状態になるとその内部の様子が見えなくなるので、接続端子部に対する導線の位置関係が不適切なものになっていてもそれに気付かずにそのまま半田付け作業が行われて、半田付け強度の不足や半田付け接続部の外形寸法の不良（リミットオ−バ−）等が発生する場合があった。
【０００４】
そこで本発明は、回路基板の接続端子部に対して信号線の導線を確実に接続強度を確保し且つ接続部の外形寸法を所定内に揃えて細径化した状態に半田付け接続することができる電子内視鏡の先端部の組立方法を提供することを目的とする。
【課題を解決するための手段】
【０００５】
上記の目的を達成するため、本発明の電子内視鏡の先端部の組立方法は、挿入部の先端に内蔵された固体撮像素子の背面側に回路基板が配置され、挿入部内に挿通配置された信号ケーブルの先端から引き出された信号線の導線が、回路基板に設けられている接続端子部に後方から接続された電子内視鏡の先端部の組立方法において、接続端子部を溝状に形成すると共に、信号線の導線を、その先端部分が接続端子部からはみ出す状態に溝状の接続端子部内に嵌め入れ、導線を接続端子部に半田付けにより固着した後で、接続端子部からはみ出している導線の先端部分を削除するようにしたものである。
【０００６】
なお、導線の先端部分がＬ字状に折り曲げられていて、その折り曲げ部より先側の部分であって接続端子部内からはみ出している部分が、接続端子部から外側に盛り上がっている半田と共に削除されるようにしてもよい。
【０００７】
その場合、接続端子部が後端は開放されて前端は閉鎖面により塞がれた溝状に形成されていて、導線が接続端子部の溝底面と閉鎖面とに押し付けられた状態で接続端子部に半田付け固着されていてもよい。
【発明の効果】
【０００８】
本発明によれば、信号線の導線を溝状の接続端子部に半田付けにより固着した後で、接続端子部からはみ出している導線の先端部分を削除するようにしたことにより、回路基板の接続端子部に対して信号線の導線を確実に接続強度を確保し且つ接続部の外形寸法を所定内に揃えて細径化した状態に半田付け接続することができる。
【発明を実施するための最良の形態】
【０００９】
接続端子部を溝状に形成すると共に、信号線の導線を、その先端部分が接続端子部からはみ出す状態に溝状の接続端子部内に嵌め入れ、導線を接続端子部に半田付けにより固着した後で、接続端子部からはみ出している導線の先端部分を削除する。
【実施例】
【００１０】
図面を参照して本発明の実施例を説明する。
図５は電子内視鏡の挿入部１の先端部分を示しており、細長い可撓管状に形成された挿入部１の最先端部分に先端部本体２が連結され、その先端部本体２の最先端面に観察窓３と照明窓（図示せず）及び処置具突出口４等が配置されている。５は、処置具突出口４の後方に配置されている処置具挿通チャンネルである。
【００１１】
観察窓３の奥の先端部本体２内には対物光学系６が配置されていて、その対物光学系６による被写体の投影位置に、例えばＣＣＤ（電荷結合素子）等からなる固体撮像素子７の受光面７ａが配置されている。
【００１２】
この実施例においては、対物光学系６の光軸と先端部本体２の軸線とが平行になるようにレイアウトされていて、固体撮像素子７の受光面７ａは対物光学系６の光軸に対して垂直の向きに配置されている。
【００１３】
固体撮像素子７の背面側には、固体撮像素子７の駆動回路等を構成する例えばコンデンサやトランジスタ等のような電子部品８が搭載された回路基板１０が、固体撮像素子７と平行の向きに配置されている。１１は、固体撮像素子７から後方に延出して回路基板１０側と接続されたリードである。
【００１４】
挿入部１内には、固体撮像素子７において得られた撮像信号等を伝送するための信号ケーブル１２が全長にわたって軸線と平行方向に挿通配置されていて、信号ケーブル１２の先端から回路基板１０の基板面に対向する方向に引き出された信号線１３の導線１４が、回路基板１０の外縁部に設けられている接続端子部２０に半田付けによって接続されている。
【００１５】
図４は、そのような回路基板１０を単体で示しており、信号線１３の数に合わせて回路基板１０の外縁部に多数設けられた接続端子部２０は、各々が信号線１３の先端から絶縁被覆が剥がされて剥き出しになった導線１４を嵌め込むのに丁度よい溝状に形成されている。２１はその溝底面であり、半田付ランド２３がその溝底面２１全面に形成されている。
【００１６】
なお、各接続端子部２０の後方側の部分は、導線１４を沿わせることができるように回路基板１０の厚みの後端部まで溝状の接続端子部２０が形成されているが、前方側の部分は回路基板１０の厚みの前端部まで達しておらず、接続端子部２０の最先端部分は閉鎖面２２により塞がれている。
【００１７】
図３は、そのような接続端子部２０に信号線１３の導線１４が半田３０で接続された状態を示しているが、その接続作業は、図２に示される工程から図１に示される工程の順に行われる。
【００１８】
即ち、図２に示されるように、導線１４の先端部分はＬ字状に略直角に折り曲げられており、導線１４は、まず溝底面２１と閉鎖面２２とに押し付けられて、折り曲げ部１４ａより先側の部分が接続端子部２０内から側方に突出する状態に接続端子部２０内に嵌め入れられ、半田３０を接続端子部２０内から外方にまで盛り上げて半田付ランド２３に接続固着されている。
【００１９】
そして、図１に二点鎖線で示されるように、導線１４の折り曲げ部１４ａより先側の部分であって接続端子部２０からはみ出している部分と半田３０の盛り上がった部分とが、回路基板１０の表面より僅かに（例えば０．１〜０．３ｍｍ程度）出っ張る程度に外形を揃えてカッター又は剃刀等で削除される。
【００２０】
その結果、図３に示されるように、回路基板１０の接続端子部２０に対して所定の半田代の長さが確保されて接続強度が確実に確保された状態に導線１４が半田付け接続され、半田３０による接続部の外形寸法が所定内に揃えられる。
【００２１】
なお、本発明は上記実施例に限定されるものではなく、例えば導線１４が真っ直ぐに形成されていて、接続端子部２０からその前方に突出してはみ出している導線１４の先端部分を、半田付けの後に削除するようにしてもよい。
【図面の簡単な説明】
【００２２】
【図１】本発明の実施例の電子内視鏡の先端部の組立方法の第２の工程の側面断面図である。
【図２】本発明の実施例の電子内視鏡の先端部の組立方法の第１の工程の側面断面図である。
【図３】本発明の実施例の電子内視鏡の信号線接続部の側面断面図である。
【図４】本発明の実施例の電子内視鏡の回路基板の単体の斜視図である。
【図５】本発明の実施例の電子内視鏡の挿入部の先端付近の側面断面図である。
【符号の説明】
【００２３】
１  挿入部
２  先端部本体
７  固体撮像素子
８  電子部品
１０  回路基板
１２  信号ケーブル
１３  信号線
１４  導線
１４ａ  折り曲げ部
２０  接続端子部
２１  溝底面
２２  閉鎖面
２３  半田付ランド
３０  半田
【図１】
2006068060.tif 000003
【図２】
2006068060.tif 000004
【図３】
2006068060.tif 000005
【図４】
2006068060.tif 000006
【図５】
2006068060.tif 000007